(57)【要約】      （修正有）【課題】洗浄液を付けて搬送ベルトを洗浄することにより、搬送ベルトに洗浄液が残り、洗浄液で被記録媒体を汚すことを抑制する記録装置を提供する。【解決手段】被記録媒体Ｐを支持面で支持して搬送する搬送ベルト２と、搬送ベルト２と当接可能なワイパーブレード１３及び１６と、を備え、ワイパーブレード１３及び１６は、支持面よりも親水性である。このような構成により、洗浄液を付けて搬送ベルトを洗浄することにより、搬送ベルトに洗浄液が残り、洗浄液で被記録媒体を汚すことを抑制する。【選択図】図１
2015093739.tif 000002
【特許請求の範囲】
【請求項１】
被記録媒体を支持面で支持して搬送する搬送ベルトと、
前記搬送ベルトと当接可能なワイパーブレードと、を備え、
前記ワイパーブレードは、前記支持面よりも親水性であることを特徴とする記録装置。
【請求項２】
被記録媒体を支持面で支持して搬送する搬送ベルトと、
前記搬送ベルトに付いた洗浄液と接触し前記支持面に対して非接触である位置に設けられるワイパーブレードと、を備え、
前記ワイパーブレードは、前記支持面よりも親水性であることを特徴とする記録装置。
【請求項３】
請求項１又は２に記載の記録装置において、
水の前記ワイパーブレードに対する静的接触角は水の前記支持面に対する静的接触角よりも１０°以上小さいことを特徴とする記録装置。
【請求項４】
請求項１から３のいずれか１項に記載の記録装置において、
前記搬送ベルトは、粘着剤が塗られ前記被記録媒体を支持する前記支持面と、前記粘着剤が塗られていない非粘着面と、を有し、
前記非粘着面は、前記支持面よりも親水性であり、
前記ワイパーブレードは、前記非粘着面よりも親水性であることを特徴とする記録装置。
【請求項５】
請求項１から４のいずれか１項に記載の記録装置において、
水の前記ワイパーブレードに対する静的接触角は５０°以下であることを特徴とする記録装置。
【請求項６】
請求項１から５のいずれか１項に記載の記録装置において、
前記ワイパーブレードを複数備えることを特徴とする記録装置。
【請求項７】
請求項６に記載の記録装置において、
複数の前記ワイパーブレードの剛性率は異なることを特徴とする記録装置。
【請求項８】
請求項１から７のいずれか１項に記載の記録装置において、
前記ワイパーブレードは、前記支持面に対して接近及び離間する方向に移動可能であることを特徴とする記録装置。
【請求項９】
請求項１から８のいずれか１項に記載の記録装置において、
前記ワイパーブレードは、前記搬送ベルトに付いた洗浄液と接触する部分を含む接触領域と、前記接触領域よりも重力方向において下方に設けられる非接触領域と、を有し、
前記非接触領域は、前記接触領域よりも疎水性であることを特徴とする記録装置。
【発明の詳細な説明】
【技術分野】
【０００１】
本発明は、記録装置に関する。
【背景技術】
【０００２】
従来から、被記録媒体を支持して搬送する搬送ベルトを備える記録装置が使用されている。このうち、前記搬送ベルトを洗浄可能な記録装置が開示されている。  
例えば、特許文献１には、洗浄液を搬送ベルトに付着させるブラシローラーと複数枚のブレードとを備える記録装置が開示されている。
【先行技術文献】
【特許文献】
【０００３】
【特許文献１】特開２０１２−１１６６１９号公報
【発明の概要】
【発明が解決しようとする課題】
【０００４】
しかしながら、特許文献１で開示されるような、洗浄液を付けて搬送ベルトを洗浄する記録装置においては、前記搬送ベルトに前記洗浄液が残り、前記洗浄液で被記録媒体を汚すことがあった。
【０００５】
そこで、本発明の目的は、洗浄液を付けて搬送ベルトを洗浄することにより、前記搬送ベルトに前記洗浄液が残り、前記洗浄液で被記録媒体を汚すことを抑制することである。
【課題を解決するための手段】
【０００６】
上記課題を解決するための本発明の第１の態様の記録装置は、被記録媒体を支持面で支持して搬送する搬送ベルトと、前記搬送ベルトと当接可能なワイパーブレードと、を備え、前記ワイパーブレードは、前記支持面よりも親水性であることを特徴とする。
【０００７】
一般的に、前記搬送ベルトの洗浄液としては水及び水溶液が使用される。  
本態様によれば、前記ワイパーブレードは、前記支持面よりも親水性である。このため、前記搬送ベルトの洗浄液は前記支持面よりも前記ワイパーブレードに対して濡れ易く、前記洗浄液を前記支持面から前記ワイパーブレードに移動させることができる。すなわち、前記搬送ベルトに前記洗浄液が残り、前記洗浄液で被記録媒体を汚すことを抑制することができる。
【０００８】
本発明の第２の態様の記録装置は、前記第１の態様において、被記録媒体を支持面で支持して搬送する搬送ベルトと、前記搬送ベルトに付いた洗浄液と接触し前記支持面に対して非接触である位置に設けられるワイパーブレードと、を備え、前記ワイパーブレードは、前記支持面よりも親水性であることを特徴とする。
【０００９】
ここで、「前記搬送ベルトに付いた洗浄液と接触し」とは、前記搬送ベルトに付いた洗浄液全てと接触することまでは要せず、前記搬送ベルトに付いた洗浄液のうちの一部と接触すれば足りる意味である。  
本態様によれば、前記ワイパーブレードは、前記搬送ベルトに付いた前記洗浄液と接触し前記支持面に対して非接触である位置に設けられている。このため、前記洗浄液を前記支持面から前記ワイパーブレードに効果的に移動させて前記洗浄液で被記録媒体を汚すことを抑制しつつ、前記ワイパーブレードを前記支持面に接触させることによる前記ワイパーブレード及び前記支持面の摩耗を抑制できる。
【００１０】
本発明の第３の態様の記録装置は、前記第１又は第２の態様において、水の前記ワイパーブレードに対する静的接触角は水の前記支持面に対する静的接触角よりも１０°以上小さいことを特徴とする。
【００１１】
本態様によれば、水の前記ワイパーブレードに対する静的接触角は水の前記支持面に対する静的接触角よりも１０°以上小さい。すなわち、前記洗浄液は前記支持面よりも前記ワイパーブレードに対して十分に濡れ易い。このため、前記洗浄液を前記支持面から前記ワイパーブレードに効果的に移動させることができ、前記搬送ベルトに前記洗浄液が残り、前記洗浄液で被記録媒体を汚すことを抑制することができる。
【００１２】
本発明の第４の態様の記録装置は、前記第１から第３のいずれか１つの態様において、前記搬送ベルトは、粘着剤が塗られ前記被記録媒体を支持する前記支持面と、前記粘着剤が塗られていない非粘着面と、を有し、前記非粘着面は、前記支持面よりも親水性であり、前記ワイパーブレードは、前記非粘着面よりも親水性であることを特徴とする。
【００１３】
本態様によれば、前記非粘着面は、前記支持面よりも親水性であり、前記ワイパーブレードは、前記非粘着面よりも親水性である。すなわち、前記粘着剤が前記支持面に塗られる所謂粘着性ベルトにおいて、前記支持面から前記非粘着面に前記洗浄液は移動しやすく、前記支持面及び前記非粘着面から前記ワイパーブレードに前記洗浄液は移動しやすい。このため、前記搬送ベルトとしての粘着性ベルトの前記支持面に前記洗浄液が残り、前記洗浄液で被記録媒体を汚すことを効果的に抑制することができる。
【００１４】
本発明の第５の態様の記録装置は、前記第１から第４のいずれか１つの態様において、水の前記ワイパーブレードに対する静的接触角は５０°以下であることを特徴とする。
【００１５】
本態様によれば、水の前記ワイパーブレードに対する静的接触角は５０°以下である。すなわち、前記洗浄液は前記ワイパーブレードに対して十分に濡れ易い。このため、前記洗浄液を前記支持面から前記ワイパーブレードに効果的に移動させることができ、前記搬送ベルトに前記洗浄液が残り、前記洗浄液で被記録媒体を汚すことを抑制することができる。
【００１６】
本発明の第６の態様の記録装置は、前記第１から第５のいずれか１つの態様において、前記ワイパーブレードを複数備えることを特徴とする。
【００１７】
本態様によれば、前記ワイパーブレードを複数備えるので、前記洗浄液を前記支持面から前記ワイパーブレードに効果的に移動させることができ、前記搬送ベルトに前記洗浄液が残り、前記洗浄液で被記録媒体を汚すことを抑制することができる。
【００１８】
本発明の第７の態様の記録装置は、前記第６の態様において、複数の前記ワイパーブレードの剛性率は異なることを特徴とする。
【００１９】
本態様によれば、複数の前記ワイパーブレードの剛性率は異なる。すなわち、例えば、複数の前記ワイパーブレードを異なる状態で前記支持面に接触させることが可能になる。このため、前記洗浄液を前記支持面から前記ワイパーブレードに効果的に移動させることができ、前記搬送ベルトに前記洗浄液が残り、前記洗浄液で被記録媒体を汚すことを抑制することができる。
【００２０】
本発明の第８の態様の記録装置は、前記第１から第７のいずれか１つの態様において、前記ワイパーブレードは、前記支持面に対して接近及び離間する方向に移動可能であり、前記支持面に対する接触面積を変更可能であることを特徴とする。
【００２１】
本態様によれば、前記ワイパーブレードは、前記支持面に対して接近及び離間する方向に移動可能であり、前記支持面に対する接触面積を変更可能である。すなわち、前記ワイパーブレードを前記支持面に接触させつつ、該ワイパーブレードを該支持面に対して位置を変更することにより、該ワイパーブレードにおける該支持面に対する接触面積を変更可能である。したがって、例えば、前記支持面から前記ワイパーブレードに前記洗浄液が移動しにくい場合には、前記ワイパーブレードを前記支持面に押し付け、前記ワイパーブレードの前記支持面に対する接触面積を大きくすることができる。このため、前記洗浄液を前記支持面から前記ワイパーブレードに効果的に移動させることができ、前記搬送ベルトに前記洗浄液が残り、前記洗浄液で被記録媒体を汚すことを抑制することができる。
【００２２】
本発明の第９の態様の記録装置は、前記第１から第８のいずれか１つの態様において、前記ワイパーブレードは、前記搬送ベルトに付いた前記洗浄液と接触する部分を含む接触領域と、前記接触領域よりも重力方向において下方に設けられる非接触領域と、を有し、前記非接触領域は、前記接触領域よりも疎水性であることを特徴とする。
【００２３】
本態様によれば、前記ワイパーブレードは、前記搬送ベルトに付いた前記洗浄液と接触する部分を含む接触領域と、前記接触領域よりも重力方向において下方に設けられる非接触領域と、を有し、前記非接触領域は、前記接触領域よりも疎水性である。このため、前記接触領域に付いた前記洗浄液が自重により前記非接触領域に移動すると、前記非接触領域から前記洗浄液を迅速に移動させることができる。すなわち、前記ワイパーブレードから前記洗浄液を迅速に移動させることができ、前記ワイパーブレードにおける前記搬送ベルトに付いた前記洗浄液を除去する効果をより高めることができる。
【図面の簡単な説明】
【００２４】
【図１】本発明の実施例１に係る記録装置を表す概略側面図。
【図２】本発明の実施例１に係る記録装置の洗浄ユニットを表す概略側面図。
【図３】本発明の実施例１に係る記録装置の洗浄ユニットを表し、該洗浄ユニットにおいて搬送ベルトを洗浄している状態を表す概略側面図。
【図４】本発明の実施例１に係る記録装置の搬送ベルトと洗浄ユニットの位置関係を表す概略底面図。
【図５】本発明の実施例１に係る記録装置の洗浄ユニットにおけるワイパーブレード支持部を表す概略側面断面図。
【図６】本発明の実施例１に係る記録装置の洗浄ユニットにおけるワイパーブレード支持部を表す概略正面図。
【図７】本発明の実施例２に係る記録装置の洗浄ユニットを表す概略側面図。
【図８】本発明の実施例３に係る記録装置の洗浄ユニットを表す概略側面図。
【発明を実施するための形態】
【００２５】
以下に、本発明の一実施形態に係る記録装置について、添付図面を参照して詳細に説明する。
【００２６】
［実施例１］（図１〜図６）  
図１は、本発明の実施例１に係る記録装置１を表す概略側面図である。  
本実施例の記録装置１は、回転方向Ｃに回転する駆動ローラー３と従動ローラー４に張架され、被記録媒体Ｐを支持して搬送方向Ａに搬送する搬送ベルト２を備えている。本実施例の記録装置１は、複数の回転体として駆動ローラー３と従動ローラー４の２つのローラーを備えているが、３つ以上のローラーを備えていてもよく、そのうち複数が駆動ローラーであってもよい。
【００２７】
本実施例の搬送ベルト２は、駆動ローラー３が回転方向Ｃに回転することにより、方向Ｄに移動し、被記録媒体Ｐを搬送方向Ａに搬送する。  
なお、本実施例の搬送ベルト２は、被記録媒体Ｐを支持する面に、該被記録媒体Ｐを剥離可能に接着して保持する、粘着剤が塗られた粘着性ベルトである。ただし、このような粘着性ベルトに限定されず、被記録媒体Ｐを静電吸着して保持する搬送ベルトであってもよい。
【００２８】
また、搬送ベルト２による被記録媒体Ｐの搬送経路には記録ヘッド６が備えられている。記録装置１は、キャリッジ５を介して搬送方向Ａと交差する方向Ｂに記録ヘッド６を往復移動させながら、記録ヘッド６のインク吐出面Ｆから被記録媒体にインクを吐出させて所望の画像を形成する。  
なお、本実施例の記録装置１は、往復移動しながら記録する記録ヘッド６を備えているが、インクを吐出するノズルを搬送方向Ａと交差する方向に複数設けた所謂ラインヘッドを備える記録装置でもよい。  
ここで、「ラインヘッド」とは、被記録媒体Ｐの搬送方向Ａと交差する方向Ｂに形成されたノズルの領域が、被記録媒体Ｐの方向Ｂ全体をカバー可能なように設けられ、記録ヘッド又は被記録媒体Ｐの一方を固定し他方を移動させて画像を形成する記録装置に用いられる記録ヘッドである。なお、ラインヘッドの方向Ｂのノズルの領域は、記録装置が対応している全ての被記録媒体Ｐの該方向Ｂ全体をカバー可能でなくてもよい。
【００２９】
本実施例の記録装置１では、被記録媒体Ｐは、所定の範囲内で搬送ベルト２から剥離され、所定の位置に固定された従動ローラー７を介して、巻取部８により巻き取られる。なお、巻取部８は、被記録媒体Ｐを巻き取る際、回転方向Ｃに被記録媒体Ｐを回転させる。
【００３０】
被記録媒体Ｐの搬送経路であって、被記録媒体Ｐが搬送ベルト２から剥離される位置と従動ローラー７が設けられた位置との間には、被記録媒体Ｐの搬送ベルト２に対する剥離位置を検出するセンサー９が設けられている。  
ここで、センサー９は、被記録媒体Ｐの面と交差する方向から光を照射し、被記録媒体Ｐの前記面からの反射光により、搬送ベルト２に対して被記録媒体Ｐが剥離したことを検出する光学センサーである。  
このため、例えば、照射部と対向する側に反射部を設け該反射部からの反射光を受光する構成の光学センサーを用いて、被記録媒体Ｐの面に沿う方向から光を照射し、該反射光が被記録媒体Ｐで遮られたことを検出することにより、搬送ベルト２に対して被記録媒体Ｐが剥離したことを検出するという従来の方法よりも検出精度が高い。このような従来の方法は、被記録媒体Ｐの面と交差する方向の長さ（厚さ）は短いため、光学センサーでの検出タイミングと該反射光が被記録媒体Ｐで遮られたタイミングとがずれることにより、検出ミスをすることがあるためである。
【００３１】
また、本実施例の記録装置１は、搬送ベルト２を洗浄するための洗浄部としての洗浄ユニット１０を備えている。洗浄ユニット１０は、洗浄液タンク１２に入れられた洗浄液１４を付けて搬送ベルト２に接触する接触部である洗浄ブラシ１１と、洗浄ブラシ１１が搬送ベルト２に接触することによって搬送ベルト２に付いた洗浄液１４を除去するワイパーブレード１３及びワイパーブレード１６と、を備えている。  
なお、本実施例における洗浄液１４は水であるが、水に限定されず、例えば、洗剤成分を含有する水溶液などの洗浄液であってもよい。
【００３２】
また、本実施例の記録装置１は、搬送ベルト２を挟んで従動ローラー４と対向する位置に、搬送ベルト２に付いた洗浄液１４の除去を補助する布ローラーとしてのタオルローラー１５を備えている。  
ここで、「布ローラー」とは、搬送ベルト２との接触部に布が用いられているローラーを意味する。  
なお、本実施例のタオルローラー１５は、搬送ベルト２の方向Ｄへの移動に伴って、回転方向Ｃと逆方向に従動回転可能な構成となっているが、このような構成に限定されず、例えば、回転方向Ｃに回転駆動する構成としてもよい。
【００３３】
次に、本実施例の記録装置１の洗浄ユニット１０について詳細に説明する。  
図２は、本実施例の記録装置１の洗浄ユニット１０を表す概略側面図である。  
洗浄液１４は、給水管３０から方向Ｅに洗浄液タンク１２に供給される。そして、洗浄液タンク１２からオーバーフローした洗浄液１４は、排水管３１から方向Ｇに排出される。  
なお、洗浄ブラシ１１は洗浄液タンク１２に設けられており、洗浄ブラシ１１の下部は洗浄液１４の液面２４より下方に至っている。このため、洗浄ブラシ１１を回転方向Ｃに回転駆動させることにより、洗浄ブラシ１１に付着した洗浄液１４は搬送ベルト２に付着する。
【００３４】
ワイパーブレード１３は、ワイパーブレード１３ａ及び１３ｂの２層で構成され、挟持部材１７（挟持部材１７ａ及び１７ｂ）で挟持されている。そして、挟持部材１７ａは、ワイパーブレード支持基体１９に固定されている。  
また、ワイパーブレード１６は、挟持部材１８（挟持部材１８ａ及び１８ｂ）で挟持されている。そして、挟持部材１８ａは、ワイパーブレード支持基体１９に固定されている。
【００３５】
ワイパーブレード支持基体１９は、ボルト２２により、ワイパーブレード取付部２０にネジ２７ａ及び２７ｂ（図６参照）で固定された台座２１と、ナット２３と、を介して、該ワイパーブレード取付部２０に固定されている。  
このように、本実施例の記録装置１は、挟持部材１７、挟持部材１８、ワイパーブレード支持基体１９、ワイパーブレード取付部２０、台座２１、ボルト２２及びナット２３等により、ワイパーブレード支持部２６が構成されている。
【００３６】
なお、図２は、洗浄ユニット１０を搬送ベルト２から離した状態を表している。このように、洗浄ユニット１０を搬送ベルト２から離した状態においては、本実施例のワイパーブレード１３及び１６の何れも鉛直方向に延びている。
【００３７】
次に、本実施例の記録装置１の洗浄ユニット１０が搬送ベルト２を洗浄している状態について説明する。  
図３は、本実施例の記録装置１の洗浄ユニット１０を表す概略側面図であり、該洗浄ユニット１０において搬送ベルト２を洗浄している状態を表している。  
洗浄ブラシ１１が回転方向Ｃに回転駆動するのに伴い、搬送ベルト２の支持面Ｓには、洗浄液１４が付着する。本実施例の記録装置１は、ワイパーブレード１３及び１６を搬送ベルト２の支持面Ｓに接触させることにより、搬送ベルト２の支持面Ｓに付着した洗浄液１４を搬送ベルト２から除去する。
【００３８】
ここで、ワイパーブレード１３及び１６は、支持面Ｓよりも親水性、すなわち、洗浄液１４に対して親液性である。このため、本実施例の記録装置１は、搬送ベルト２に付着した洗浄液１４をワイパーブレード１３及び１６に移動させることができる。さらに、本実施例の記録装置１は、ワイパーブレード１３及び１６に付着した洗浄液１４を、自重により重力方向である方向Ｈに移動させることができる。なお、本実施例の記録装置１ではワイパーブレード１３及び１６は何れも鉛直方向に延びるように構成されているので、洗浄液１４は自重によりワイパーブレード１３及び１６から移動しやすくなっている。  
なお、「親液性」とは洗浄液１４に対して濡れ易いことを意味し、「疎液性」とは洗浄液１４に対して濡れ難いことを意味する。
【００３９】
上記のように、本実施例の記録装置１は、被記録媒体Ｐを支持面Ｓで支持して搬送する搬送ベルト２を備えている。また、洗浄液１４を付けて搬送ベルト２に接触する洗浄ブラシ１１と、搬送ベルト２に付いた洗浄液１４を除去するワイパーブレード１３及び１６と、を有する洗浄ユニット１０を備えている。そして、ワイパーブレード１３及び１６は、支持面Ｓよりも親水性（洗浄液１４に対して親液性）である。すなわち、洗浄液１４は支持面Ｓよりもワイパーブレード１３及び１６に対して濡れ易い。  
このような構成により、本実施例の記録装置１は、洗浄液１４を支持面Ｓからワイパーブレード１３及び１６に移動させる。こうして、搬送ベルト２に洗浄液１４が残り、洗浄液１４で被記録媒体Ｐを汚すことを抑制している。
【００４０】
また、上記のように、本実施例の記録装置１は、ワイパーブレード１３及び１６と、ワイパーブレードを複数備えている。  
このため、洗浄液１４を支持面Ｓからワイパーブレード１３及び１６に効果的に移動させることができ、搬送ベルト２に洗浄液１４が残り、洗浄液１４で被記録媒体Ｐを汚すことを抑制している。
【００４１】
また、本実施例の記録装置１は、ワイパーブレード１３ａ、１３ｂ及び１６を同じ材質で構成しており、ワイパーブレード１３をワイパーブレード１３ａ及び１３ｂの２層で構成している。このような構成により、複数のワイパーブレードとしてのワイパーブレード１３及び１６の剛性率を異ならせている。  
こうして、ワイパーブレード１３及び１６を異なる状態で支持面Ｓに接触させ、洗浄液１４を支持面Ｓからワイパーブレード１３及び１６に効果的に移動させている。このため、搬送ベルト２に洗浄液１４が残り、洗浄液１４で被記録媒体Ｐを汚すことを抑制している。  
なお、本実施例の記録装置１のような構成に限定されず、例えば、剛性率の異なる複数のワイパーブレードとして、異なる材質のワイパーブレードを用いることにより夫々の剛性率を異ならせてもよい。
【００４２】
また、本実施例の記録装置１では、洗浄液１４、すなわち、水のワイパーブレード１３及び１６に対する静的接触角は５０°以下である。  
すなわち、洗浄液１４はワイパーブレード１３及び１６に対して十分に濡れ易い。このため、洗浄液１４を支持面Ｓからワイパーブレード１３及び１６に効果的に移動させることができ、搬送ベルト２に洗浄液１４が残り、洗浄液１４で被記録媒体Ｐを汚すことを抑制している。  
なお、本実施例の記録装置１は、ワイパーブレード１３ａ、１３ｂ及び１６の材質は同じであるが、このような構成に限定されず、例えば、複数のワイパーブレードとして異なる材質のワイパーブレードを用いて共に静的接触角を５０°以下としてもよい。
【００４３】
また、本実施例の記録装置１では、洗浄液１４、すなわち、水のワイパーブレード１３及び１６に対する静的接触角は洗浄液１４の支持面Ｓに対する静的接触角よりも１０°以上小さい。  
すなわち、洗浄液１４は支持面Ｓよりもワイパーブレード１３及び１６に対して十分に濡れ易い。このため、洗浄液１４を支持面Ｓからワイパーブレード１３及び１６に効果的に移動させることができ、搬送ベルト２に洗浄液１４が残り、洗浄液１４で被記録媒体Ｐを汚すことを抑制している。
【００４４】
また、本実施例の記録装置１のワイパーブレード１３及び１６は、図３で表されるように、支持面Ｓに対して接近及び離間する方向Ｉに移動可能であり、支持面Ｓに対する接触面積を変更可能な構成になっている。  
すなわち、ワイパーブレード１３及び１６を支持面Ｓに接触させつつ、ワイパーブレード１３及び１６を支持面Ｓに対して位置を変更することにより、ワイパーブレード１３及び１６における支持面Ｓに対する接触面積を変更可能である。したがって、例えば、支持面Ｓからワイパーブレード１３及び１６に洗浄液１４が移動しにくい場合には、ワイパーブレード１３及び１６を支持面Ｓに押し付け、ワイパーブレード１３及び１６の支持面Ｓに対する接触面積を大きくすることができる。このため、洗浄液１４を支持面Ｓからワイパーブレード１３及び１６に効果的に移動させることができ、搬送ベルト２に洗浄液１４が残り、洗浄液１４で被記録媒体Ｐを汚すことを抑制することができる。
【００４５】
次に、洗浄ユニット１０の搬送ベルト２に対する位置関係及びワイパーブレード支持部２６の洗浄ユニット１０に対する位置関係について説明する。  
図４は、本実施例の記録装置１の搬送ベルト２と洗浄ユニット１０の位置関係を表す概略底面図であり、搬送ベルト２の支持面Ｓを下方から見た状態を表している。ここで、支持面Ｓが下方を向いた状態においては、被記録媒体Ｐが支持面Ｓに支持されることはない。ただし、支持面Ｓの粘着面２５及び非粘着面３２における被記録媒体Ｐの支持位置（貼り付け位置）との位置関係を説明するため、図４では、被記録媒体Ｐの支持位置を破線で示している。
【００４６】
本実施例の記録装置１では、搬送ベルト２の幅方向に対応する方向Ｂにおいて、洗浄ブラシ１１と、ワイパーブレード１３及び１６とが、搬送ベルト２の幅を両側とも超えて設けられている。  
また、ワイパーブレード支持部２６は、方向Ｂにおけるワイパーブレード１３及び１６の中央部に設けられている。このような構成により、ワイパーブレード１３及び１６が、方向Ｂにおける中央部近傍で撓み、搬送ベルト２と非接触になる、不均一に接触する等の接触不良を抑制している。
【００４７】
また、本実施例の搬送ベルト２の支持面Ｓは、方向Ｂにおいて被記録媒体Ｐの支持位置よりも広い範囲に粘着剤が塗られ被記録媒体Ｐを支持する支持面としての粘着面２５と、方向Ｂにおいて粘着面２５の両脇に粘着剤が塗られていない非粘着面３２と、を有している。ここで、非粘着面３２は、粘着面２５よりも洗浄液１４に対して親液性である。そして、ワイパーブレード１３及び１６は、非粘着面３２よりも親水性（洗浄液１４に対して親液性）である。  
このように、本実施例の搬送ベルト２は粘着面２５を支持面Ｓに有する所謂粘着性ベルトである。本実施例の搬送ベルト２は、このような構成であるため、被記録媒体Ｐを支持する粘着面２５から非粘着面３２に洗浄液１４は移動しやすく、粘着面２５及び非粘着面３２からワイパーブレード１３及び１６に洗浄液１４は移動しやすい。このため、搬送ベルト２の粘着面２５に洗浄液１４が残り、洗浄液１４で被記録媒体Ｐを汚すことを効果的に抑制している。
【００４８】
次に、ワイパーブレード支持部２６について詳細に説明する。  
図５は、本実施例の記録装置１の洗浄ユニット１０におけるワイパーブレード支持部２６を表す概略側面断面図である。また、図６は、本実施例の記録装置１の洗浄ユニット１０におけるワイパーブレード支持部２６を表す概略正面図である。
【００４９】
図５で表されるように、ワイパーブレード１３は挟持部材１７ａ及び１７ｂで挟持され、挟持部材１７ａはワイパーブレード支持基体１９に固定されている。また、ワイパーブレード１６は挟持部材１８ａ及び１８ｂで挟持され、挟持部材１８ａはワイパーブレード支持基体１９に固定されている。そして、搬送ベルト２の幅方向に対応する方向Ｂにおける、中央部のワイパーブレード支持基体１９は、ワイパーブレード支持部２６のボルト２２の締め付けにより、台座２１と、ナット２３と、を介して、該ワイパーブレード取付部２０上で高さ調整され、ネジ２７ａ及び２７ｂにより固定されている。
【００５０】
また、図６で表されるように、ワイパーブレード支持基体１９と台座２１はネジ２７ａ及び２７ｂにより固定されている。  
ワイパーブレード支持部２６は、このような構成により、ワイパーブレード１３及び１６を洗浄ユニット１０のワイパーブレード取付部２０に固定している。
【００５１】
［実施例２］（図７）  
次に、実施例２の記録装置について、添付図面を参照して詳細に説明する。  
図７は、本実施例の記録装置１の洗浄ユニット１０を表す概略側面図である。なお、上記実施例と共通する構成部材は同じ符号で示しており、詳細な説明は省略する。  
なお、本実施例の洗浄ユニット１０は、ワイパーブレード１３が１層で構成され、ワイパーブレード１３及び１６が共に湾曲しつつ鉛直方向から傾いて延びており、ワイパーブレード１３及び１６が共に洗浄液１４に対して濡れ性の異なる領域２８及び２９を有していること以外は実施例１の洗浄ユニット１０と同様の構成である。
【００５２】
上記のように、本実施例のワイパーブレード１３及び１６は、洗浄液１４に対して濡れ性の異なる領域２８及び２９を有している。詳細には、ワイパーブレード１３及び１６は、共に、搬送ベルト２に付いた洗浄液１４と接触する部分を含む接触領域２８と、接触領域２８よりも重力方向において下方に設けられる非接触領域２９と、を有する。そして、非接触領域２９は、接触領域２８よりも疎水性（洗浄液１４に対して疎液性）である。また、ブレード１３及びブレード１６の接触領域２８を含むブレード先端部全体を親液性、非接触領域２９を含むブレードの中間部を接触領域２８よりも液体１４に対して疎液性の構成としてもよい。  
本実施例のワイパーブレード１３及び１６は、このような構成であるため、接触領域２８に付いた洗浄液１４が自重により非接触領域２９に移動すると、非接触領域２９から洗浄液１４を方向Ｊに迅速に移動させることができる。すなわち、ワイパーブレード１３及び１６から洗浄液１４を迅速に移動させることができ、ワイパーブレード１３及び１６における搬送ベルト２に付いた洗浄液１４を除去する効果をより高めることができる。
【００５３】
［実施例３］（図８）  
次に、実施例３の記録装置について、添付図面を参照して詳細に説明する。  
図８は、本実施例の記録装置１の洗浄ユニット１０を表す概略側面図である。なお、上記実施例と共通する構成部材は同じ符号で示しており、詳細な説明は省略する。  
なお、本実施例の洗浄ユニット１０は、ワイパーブレード１３及び１６と搬送ベルト２の支持面Ｓとの間に空間３０が設けられ、ワイパーブレード１３及び１６と支持面Ｓとが非接触であること以外は実施例２の洗浄ユニット１０と同様の構成である。
【００５４】
上記のように、本実施例のワイパーブレード１３及び１６は、搬送ベルト２の支持面Ｓと非接触な位置に設けられている。ただし、ワイパーブレード１３及び１６は、図８で表されるように搬送ベルト２に付いた洗浄液１４と接触する位置に設けられている。  
ここで、「搬送ベルト２に付いた洗浄液１４と接触する位置」とは、前記搬送ベルトに付いた洗浄液全てと接触する位置であることまでは要せず、前記搬送ベルトに付いた洗浄液のうちの一部と接触する位置であれば足りる意味である。  
本実施例のワイパーブレード１３及び１６は、このような構成であるため、洗浄液１４を支持面Ｓからワイパーブレード１３及び１６に効果的に移動させて洗浄液１４で被記録媒体Ｐを汚すことを抑制しつつ、ワイパーブレード１３及び１６を支持面Ｓに接触させることによるワイパーブレード１３及び１６及び支持面Ｓの摩耗を抑制している。
【符号の説明】
【００５５】
１  記録装置、２  搬送ベルト、３  駆動ローラー、４  従動ローラー、
５  キャリッジ、６  記録ヘッド、７  従動ローラー、８  巻取部、
９  センサー、１０  洗浄ユニット（洗浄部）、１１  洗浄ブラシ（接触部）、
１２  洗浄液タンク、１３、１３ａ、１３ｂ  ワイパーブレード、１４  洗浄液、
１５  タオルローラー、１６  ワイパーブレード、１７、１７ａ、１７ｂ  挟持部材、
１８、１８ａ、１８ｂ  挟持部材、１９  ワイパーブレード支持基体、
２０  ワイパーブレード取付部、２１  台座、２２  ボルト、２３  ナット、
２４  液面、２５  粘着面、２６  ワイパーブレード支持部、
２７ａ、２７ｂ  ネジ、２８  接触領域、２９  非接触領域、３０  給水管、
３１  排水管、３２  非粘着面、Ｆ  インク吐出面、Ｐ  被記録媒体、Ｓ支持面
【図１】
2015093739.tif 000003
【図２】
2015093739.tif 000004
【図３】
2015093739.tif 000005
【図４】
2015093739.tif 000006
【図５】
2015093739.tif 000007
【図６】
2015093739.tif 000008
【図７】
2015093739.tif 000009
【図８】
2015093739.tif 000010